(57)【要約】  クロックを検出して各々が計数した数を示す数値信号を出力する複数のカウンタ部を備える同期装置において、前記数値信号を出力する第１のカウンタ部と、前記第１のカウンタ部が出力する数値信号が示す数と同じ数を示すカウンタ同期信号を、出力するカウンタ同期信号出力部と、前記カウンタ同期信号出力部が出力したカウンタ同期信号が示す数に基づいて、前記第１のカウンタ部と同じタイミングで同じ数を示す数値信号を出力する第２のカウンタ部と、を備える。
2010073441.tif 000002
【特許請求の範囲】
【請求項１】
クロックを検出して各々が計数した数を示す数値信号を出力する複数のカウンタ部を備える同期装置において、
前記数値信号を出力する第１のカウンタ部と、
前記第１のカウンタ部が出力する数値信号が示す数と同じ数を示すカウンタ同期信号を、出力するカウンタ同期信号出力部と、
前記カウンタ同期信号出力部が出力したカウンタ同期信号が示す数に基づいて、前記第１のカウンタ部と同じタイミングで同じ数を示す数値信号を出力する第２のカウンタ部と、
を備えることを特徴とする同期装置。
【請求項２】
第１の送信装置から送信された第１の送信信号と、前記第１の送信信号と同じ時間単位で構成された第２の送信信号であって、前記第１の送信信号と前記時間単位の同期をとって第２の送信装置から送信される第２の送信信号と、を受信する受信装置において、
前記時間単位のクロックを検出して計数した数を示す数値信号を出力する第１のカウンタ部と、
前記第１のカウンタ部が出力する数値信号が示す数と同じ数を示すカウンタ同期信号を、出力するカウンタ同期信号出力部と、
前記カウンタ同期信号出力部が出力したカウンタ同期信号が示す数に基づいて、前記第１のカウンタ部と同じタイミングで同じ数を示す数値信号を出力する第２のカウンタ部と、
前記第１のカウンタ部が出力した数値信号を用いて、前記時間単位で前記第１の送信信号を検出する第１の受信部と、
前記第２のカウンタ部が出力した数値信号を用いて、前記時間単位で前記第２の送信信号を検出する第２の受信部と、
を備えることを特徴とする受信装置。
【請求項３】
前記カウンタ同期信号出力部は、同期タイミングを示すタイミング信号を前記第２のカウンタ部に出力し、また、前記第１のカウンタ部が出力する数値信号が示す数と同じ数をカウンタ値記憶部に記憶させ、
前記第２のカウンタ部は、前記タイミング信号が示す同期タイミングで、前記カウンタ値記憶部が記憶する数を示す数値信号を出力することを特徴とする請求項２に記載の受信装置。
【請求項４】
前記受信装置は、予め定められた個数の前記時間単位を周期的にくり返す前記送信信号を受信し、
前記第１のカウンタ部は、前記周期的に計数した数を示す数値信号を出力し、
前記カウンタ同期信号出力部は、前記カウンタ同期信号を前記周期毎に出力することを特徴とすることを特徴とする請求項２に記載の受信装置。
【請求項５】
前記カウンタ同期信号出力部は、前記周期の最初に計数した数を示す前記カウンタ同期信号を出力することを特徴とする請求項４に記載の受信装置。
【請求項６】
前記カウンタ同期信号出力部は、前記カウンタ同期信号を前記時間単位毎に出力することを特徴とすることを特徴とする請求項２に記載の受信装置。
【請求項７】
自装置が前記第１の送信装置から前記第２の送信装置に通信先を切替えるハンドオーバ処理を行うとき、前記第２のカウンタ部に前記数値信号の出力を開始させる同期開始制御を行うカウンタ同期開始制御部を備え、
前記カウンタ同期信号出力部は、前記カウンタ同期開始制御部が同期開始制御を行うと、前記カウンタ同期信号を前記第２のカウンタ部に出力することを特徴とする請求項２に記載の受信装置。
【請求項８】
前記カウンタ同期信号出力部は、前記カウンタ同期信号を１回、第２のカウンタ部に出力することを特徴とする請求項７に記載の受信装置。
【請求項９】
自装置が前記第１の送信装置から前記第２の送信装置に通信先を切替えるハンドオーバ処理を行うとき、前記第２のカウンタ部を起動させる制御を行う起動制御部を備えることを特徴とする請求項７に記載の受信装置。
【請求項１０】
クロックを検出して各々が計数した数を示す数値信号を出力する複数のカウンタ部を備える同期装置における同期方法において、
前記同期装置が、前記数値信号を出力する第１の過程と、
前記同期装置が、前記第１の過程にて出力する数値信号が示す数と同じ数を示すカウンタ同期信号を、出力する第２の過程と、
前記同期装置が、前記第２の過程にて出力したカウンタ同期信号が示す数に基づいて、前記第１の過程と同じタイミングで同じ数を示す数値信号を出力する第３の過程と、
を有することを特徴とする同期方法。
【請求項１１】
第１の送信装置から送信された第１の送信信号と、前記第１の送信信号と同じ時間単位で構成された第２の送信信号であって、前記第１の送信信号と前記時間単位の同期をとって第２の送信装置から送信される第２の送信信号と、を受信する受信装置における受信方法において、
前記時間単位のクロックを検出して計数した数を示す数値信号を出力する第１の過程と、
前記第１の過程にて出力する数値信号が示す数と同じ数を示すカウンタ同期信号を、出力する第２の過程と、
前記第２の過程にて出力したカウンタ同期信号が示す数に基づいて、前記第1の過程と同じタイミングで同じ数を示す数値信号を出力する第３の過程と、
前記第１の過程にて出力した数値信号を用いて、前記時間単位で前記第１の送信信号を検出する第４の過程と、
前記第３の過程にて出力した数値信号を用いて、前記時間単位で前記第２の送信信号を検出する第５の過程と、
を有することを特徴とする受信方法。
【発明の詳細な説明】
【技術分野】
【０００１】
本発明は、同期装置、受信装置、同期方法、及び受信方法に関する。
本願は、２００８年１２月２６日に、日本に出願された特願２００８−３３２７５２号に基づき優先権を主張し、その内容をここに援用する。
【背景技術】
【０００２】
従来、携帯電話ネットワーク等の通信システムにおいて通信の確立を行う場合、携帯電話装置は、未知の基地局装置のセルを検索するためのセルサーチ時に、同期チャネルより得られるフレーム又はシンボル等の境界を示す基準タイミングに同期する。携帯電話装置は、このフレーム又はシンボル等の基準タイミングを検出するため、携帯電話装置内部のクロックカウンタを起動し、クロックカウンタが計数したカウンタ値に基づいて、基地局装置から送信された送信信号との同期を行う。また、この携帯電話装置は、通常の通信中又は間欠動作中の同期についても、同様に、基地局装置からの既知信号より得られる基準タイミングに同期する。【０００３】
一つの通信方式、例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域−符号分割多重接続）において通信を行う場合、携帯電話装置は、同期チャネルの信号（ＳＣＨ：Ｓｙｎｃｈｒｏｎｉｓａｔｉｏｎ  Ｃｈａｎｎｅｌ）にてセルサーチを行い、パイロット信号にて送信信号との同期をとって受信処理を行う。その際、携帯電話装置は、クロックカウンタを起動し、クロックカウンタが計数したカウンタ値に基づいて基地局装置が送信した送信信号との同期を行い、信号を検出する受信処理を行う。
この受信処理において、信号を検出する受信部とクロックカウンタを備えた受信処理部は、通常、１チップ（ｃｈｉｐ）のＬＳＩ（ｌａｒｇｅ  ｓｃａｌｅ  ｉｎｔｅｇｒａｔｅｄ：大規模集積回路）にて実現される。【０００４】
近年の通信システムにおいて、複数の異なる通信方式を適用したネットワーク、例えば、Ｗ−ＣＤＭＡ方式とＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ：ジーエスエム）方式を適用した携帯電話ネットワークが検討されている。【０００５】
この通信システムにおいて、携帯電話装置には、Ｗ−ＣＤＭＡ方式に対応した受信処理部である１チップのＬＳＩ、また、ＧＳＭ方式に対応した受信処理部である１チップのＬＳＩ、というように通信方式毎にチップが搭載され、合計２チップ又はそれ以上のＬＳＩを搭載することが検討されている。この２チップのＬＳＩを搭載した携帯電話装置は、基地局装置の通信方式に対応した受信処理をすることができるＬＳＩを起動して送信信号の受信処理を行う。具体的に、この携帯電話装置は、それぞれの通信方式の送信信号を用いて基準タイミングを検出し、それぞれのＬＳＩにてクロックカウンタを動作して信号の受信処理を行う。【０００６】
この携帯電話装置は、それぞれのＬＳＩのクロックカウンタを、独立に動作するため、これらのカウンタ値は必ずしも一致しない。また、この携帯電話装置では、消費電力を削減等するため、一方の通信方式の信号のみを受信するときは、他方の通信方式に対応したＬＳＩは休止させる場合がある。この場合には、起動タイミングが異なることになり、このことからも、それぞれのＬＳＩのクロックカウンタが出力するカウンタ値は必ずしも一致しない。【０００７】
一方、この通信システムにおいて、複数の基地局装置が、予め定められた時間単位であるフレーム、及び予め定められた個数であるＮ個のフレームからなるフレーム周期について、同期を行い、それぞれの送信信号を送信する場合がある。つまり、Ｗ−ＣＤＭＡ方式の信号を送信する基地局装置と、ＧＳＭ方式の信号を送信する基地局装置と、がフレーム及びフレーム周期について同期を行い、それぞれの送信信号を送信する場合がある。【０００８】
このような同期を行っているＷ−ＣＤＭＡ方式の基地局装置とＧＳＭ方式の基地局装置と同時通信を行う場合、例えば、Ｗ−ＣＤＭＡ方式の基地局装置からＧＳＭ方式の基地局装置に通信先を切り替えるハンドオーバ処理を行う場合、上述の携帯電話装置では、それぞれ通信方式の送信信号による基準タイミングの検出の結果、それぞれのＬＳＩのクロックカウンタが同じタイミングで同じカウンタ値を出力する。【０００９】
特許文献１には、２個の半導体集積回路内のクロックカウンタを同じタイミングで同じカウンタ値を出力させる技術として、外部リセット信号によるクロックカウンタのリセットを契機にクロックカウンタのカウンタ値を強制的に再リセットさせる半導体集積回路が記載されている。特許文献１には、この半導体集積回路を２個用いた場合、外部リセット信号により、２個の半導体集積回路のクロックカウンタを同時に再リセットしてこの２個
のクロックカウンタのクロック計測開始時期を同期させることについて記載されている。
【先行技術文献】
【特許文献】
【００１０】
【特許文献１】特開平１１−２０２９６７号公報
【発明の概要】
【発明が解決しようとする課題】
【００１１】
しかし、特許文献１記載の技術を転用するにしても、一方のクロックカウンタのカウンタ値が既に同期に用いられている場合、例えば、送信信号との同期に用いられている場合、双方のクロックカウンタをリセットをすると、一方のクロックカウンタでは、既に取っていた送信信号との同期が取れなくなってしまうという欠点があった。【００１２】
本発明は上記の点に鑑みてなされたものであり、その目的は、一方のクロックカウンタのカウンタ値が既に同期に用いられている場合に、この同期を保ったまま、複数のクロックカウンタが出力するカウンタ値を同じ値にすることができる同期装置、受信装置、同期方法、及び受信方法を提供することにある。
【課題を解決するための手段】
【００１３】
（１）本発明は上記の課題を解決するためになされたものであり、本発明は、クロックを検出して各々が計数した数を示す数値信号を出力する複数のカウンタ部を備える同期装置において、前記数値信号を出力する第１のカウンタ部と、前記第１のカウンタ部が出力する数値信号が示す数と同じ数を示すカウンタ同期信号を、出力するカウンタ同期信号出力部と、前記カウンタ同期信号出力部が出力したカウンタ同期信号が示す数に基づいて、前記第１のカウンタ部と同じタイミングで同じ数を示す数値信号を出力する第２のカウンタ部と、を備えることを特徴とする同期装置である。
上記構成によると、前記同期装置は、前記第１のカウンタ部が出力する数値信号が示す数と同じ数を示すカウンタ同期信号を出力し、前記第２のカウンタ部がこのカウンタ同期信号が示す数に基づいて前記第１のカウンタ部と同じタイミングで同じ数を示す数値信号を出力するので、第１のカウンタ部の数値信号が示す数が既に同期に用いられている場合に、この同期を保ったまま、第２のカウンタ部の数値信号が示す数を、第１のカウンタ部の数値信号が示す数と同じ数にすることができる。【００１４】
（２）また、本発明は、第１の送信装置から送信された第１の送信信号と、前記第１の送信信号と同じ時間単位で構成された第２の送信信号であって、前記第１の送信信号と前記時間単位の同期をとって第２の送信装置から送信される第２の送信信号と、を受信する受信装置において、前記時間単位のクロックを検出して計数した数を示す数値信号を出力する第１のカウンタ部と、前記第１のカウンタ部が出力する数値信号が示す数と同じ数を示すカウンタ同期信号を、出力するカウンタ同期信号出力部と、前記カウンタ同期信号出力部が出力したカウンタ同期信号が示す数に基づいて、前記第１のカウンタ部と同じタイミングで同じ数を示す数値信号を出力する第２のカウンタ部と、前記第１のカウンタ部が出力した数値信号を用いて、前記時間単位で前記第１の送信信号を検出する第１の受信部と、前記第２のカウンタ部が出力した数値信号を用いて、前記時間単位で前記第２の送信信号を検出する第２の受信部と、を備えることを特徴とする受信装置である。
上記構成によると、前記受信装置は、前記第１のカウンタ部が出力する数値信号が示す数と同じ数を示すカウンタ同期信号を出力し、前記第２のカウンタ部がこのカウンタ同期信号が示す数に基づいて前記第１のカウンタ部と同じタイミングで同じ数を示す数値信号を出力し、前記第２のカウンタ部が出力した数値信号を用いて、前記時間単位で前記第２の送信信号を検出するので、前記第１の送信信号と前記時間単位で同期を取った前記第２の送信信号を受信する際に、第２の送信信号を用いて前記時間単位を検出しなくても、前記第２の送信信号と同期することができ、前記時間単位の検出時間を短縮することができる。【００１５】
（３）また、本発明は、前記カウンタ同期信号出力部は、同期タイミングを示すタイミング信号を前記第２のカウンタ部に出力し、また、前記第１のカウンタ部が出力する数値信号が示す数と同じ数をカウンタ値記憶部に記憶させ、前記第２のカウンタ部は、前記タイミング信号が示す同期タイミングで、前記カウンタ値記憶部が記憶する数を示す数値信号を出力することを特徴とする。【００１６】
（４）また、本発明は、前記受信装置において、前記受信装置は、予め定められた個数の前記時間単位を周期的にくり返す前記送信信号を受信し、前記第１のカウンタ部は、前記周期的に計数した数を示す数値信号を出力し、前記カウンタ同期信号出力部は、前記カウンタ同期信号を前記周期毎に出力することを特徴とすることを特徴とする。【００１７】
（５）また、本発明は、前記受信装置において、前記カウンタ同期信号出力部は、前記周期の最初に計数した数を示す前記カウンタ同期信号を出力することを特徴とする。【００１８】
（６）また、本発明は、前記受信装置において、前記カウンタ同期信号出力部は、前記カウンタ同期信号を前記時間単位毎に出力することを特徴とすることを特徴とする。【００１９】
（７）また、本発明は、前記受信装置において、前記第２のカウンタ部に前記数値信号の出力を開始させる同期開始制御を行うカウンタ同期開始制御部を備え、前記カウンタ同期信号出力部は、前記カウンタ同期開始制御部が同期開始制御を行うと、前記カウンタ同期信号を１回前記第２のカウンタ部に出力することを特徴とする。【００２０】
（８）また、本発明は、前記受信装置において、前記カウンタ同期開始制御部は、自装置が前記第１の送信装置から前記第２の送信装置に通信先を切替えるハンドオーバ処理を行うとき前記同期開始制御を行うことを特徴とする。【００２１】
（９）また、本発明は、前記受信装置において、前記カウンタ同期開始制御部が前記同期開始制御を行う場合に、前記第２のカウンタ部を起動させる制御を行う起動制御部を備えることを特徴とする。【００２２】
（１０）また、本発明は、クロックを検出して各々が計数した数を示す数値信号を出力する複数のカウンタ部を備える同期装置における同期方法において、前記同期装置が、前記数値信号を出力する第１の過程と、前記同期装置が、前記第１の過程にて出力する数値信号が示す数と同じ数を示すカウンタ同期信号を、出力する第２の過程と、前記同期装置が、前記第２の過程にて出力したカウンタ同期信号が示す数に基づいて、前記第１の過程と同じタイミングで同じ数を示す数値信号を出力する第３の過程と、を有することを特徴とする同期方法である。【００２３】
（１１）また、本発明は、第１の送信装置から送信された第１の送信信号と、前記第１の送信信号と同じ時間単位で構成された第２の送信信号であって、前記第１の送信信号と前記時間単位の同期をとって第２の送信装置から送信される第２の送信信号と、を受信する受信装置における受信方法において、前記時間単位のクロックを検出して計数した数を示す数値信号を出力する第１の過程と、前記第１の過程にて出力する数値信号が示す数と同じ数を示すカウンタ同期信号を、出力する第２の過程と、前記第２の過程にて出力したカウンタ同期信号が示す数に基づいて、前記第1の過程と同じタイミングで同じ数を示す数値信号を出力する第３の過程と、前記第１の過程にて出力した数値信号を用いて、前記時間単位で前記第１の送信信号を検出する第４の過程と、前記第３の過程にて出力した数値信号を用いて、前記時間単位で前記第２の送信信号を検出する第５の過程と、を有することを特徴とする受信方法である。
【発明の効果】
【００２４】
本発明によれば、第１のカウンタ部の数値信号が示す数が既に同期に用いられている場合に、この同期を保ったまま、第２のカウンタ部の数値信号が示す数と同期を取ることができる。また、第１の送信信号と時間単位で同期を取った第２の送信信号を受信する際に、第２の送信信号を用いて時間単位を検出しなくても、第２の送信信号と同期することができ、時間単位の検出時間を短縮することができる。
【図面の簡単な説明】
【００２５】
【図１】本発明の実施形態に係る通信システムの全体像についての概略を説明する図である。
【図２】本実施形態に係る情報端末装置の構成を示す概略ブロック図である。
【図３】本実施形態に係るカウンタ同期信号の一例を説明する説明図である。
【図４】本実施形態に係る情報端末装置ａ１の動作を示すフロー図である。
【図５】本実施形態の変形例１に係るカウンタ同期信号の別の一例を説明する説明図である。
【図６】本実施形態の変形例２係るカウンタ同期信号の別の一例を説明する説明図である。
【図７】本変形例に係るカウンタ同期信号の生成方法について説明する説明図である。
【図８】本実施形態の変形例３係る情報端末装置の構成を示す概略ブロック図である。
【発明を実施するための形態】
【００２６】
以下、図面を参照しながら本発明の実施形態について詳しく説明する。図１は、本発明の実施形態に係る通信システムの全体像についての概略を説明する図である。
この図において、通信システムは、情報通信端末Ａ１（受信装置）、基地局装置Ｂ１（第１の送信装置）、及び基地局装置Ｂ２（第２の送信装置）を具備する。基地局装置Ｂ１はＷ−ＣＤＭＡ方式を用いた無線通信を行い、基地局装置Ｂ２はＧＳＭ方式を用いた無線通信を行う。また、基地局装置Ｂ１と基地局装置Ｂ２とはネットワークＣ１を介して接続される。
また、基地局装置Ｂ１の送信信号（第１の送信信号）と基地局装置Ｂ２の送信信号（第２の送信信号）とは、予め定められた時間単位であるフレーム、及び予め定められた個数であるＮ個のフレームからなるフレーム周期（図３参照）について同期が取られている。なお、本実施形態に係る通信システムは、３又はそれ以上の基地局装置を備える（図示せず）が、全ての基地局装置同士がこのような同期が取れていなくてもよく、一部の基地局装置同士で同期が取れていればよい。
【００２７】
また、図１は、情報端末装置Ａ１が移動する携帯端末装置であることを示す。また、この図において、情報端末装置Ａ１は、基地局装置Ｂ１と無線通信を行っている。また、この図において、情報端末装置Ａ１は、自装置の移動に伴って、基地局装置Ｂ２のセルを検索するセルサーチ等により、基地局装置Ｂ２とも無線通信を行う。情報端末装置Ａ１は、基地局装置Ｂ１及び基地局装置Ｂ２と無線通信、つまり、Ｗ−ＣＤＭＡ方式及びＧＳＭ方式を用いた無線通信を行うことができる装置である。
【００２８】
＜情報端末装置ａ１の構成について＞
以下、情報端末装置Ａ１を情報端末装置ａ１として、情報端末装置ａ１の構成について説明する。図２は、本実施形態に係る情報端末装置ａ１の構成を示す概略ブロック図である。
情報端末装置ａ１は、アンテナａ１０、無線部ａ１１、基準信号生成部ａ１３、第１の受信処理部ａ１４、第２の受信処理部ａ１５、制御部ａ１６、及び、送信部ａ１７を含んで構成される。
【００２９】
第１の受信処理部ａ１４は、第１の受信部ａ１４０、第１の位相同期部ａ１４１、第１のカウンタ部ａ１４２、及び第１のカウンタ同期信号出力部ａ１４３を含んで構成される。第２の受信処理部ａ１５は、第２の受信部ａ１５０、第２の位相同期部ａ１５１、第２のカウンタ部ａ１５２、及び第２のカウンタ同期信号出力部ａ１５３を含んで構成される。
第１の受信処理部ａ１４及び第２の受信処理部ａ１５は、それぞれ、１チップ（ｃｈｉｐ）のＬＳＩ（Ｌａｒｇｅ  Ｓｃａｌｅ  Ｉｎｔｅｇｒａｔｉｏｎ）で実現される。また、第１の受信処理部ａ１４は、Ｗ−ＣＤＭＡ方式を用いた信号の受信処理を行うＬＳＩであり、第２の受信処理部ａ１５は、ＧＳＭ方式を用いた信号の受信処理を行うＬＳＩである。
【００３０】
また、制御部ａ１６は、起動制御部ａ１６１及びカウンタ同期開始制御部ａ１６２を含んで構成される。また、基準信号生成部ａ１３、第１の位相同期部ａ１４１、第１のカウンタ部ａ１４２、第１のカウンタ同期信号出力部ａ１４３、第２の位相同期部ａ１５１、第２のカウンタ部ａ１５２、及び第２のカウンタ同期信号出力部ａ１５３が同期装置ｄ１に相当する。また、情報端末装置ａ１は、その他、情報端末装置の一般的な公知の機能を備える。
【００３１】
無線部ａ１１は、アンテナａ１０を介し、基地局装置Ｂ１又はＢ２から受信した受信信号を無線周波数の信号からベースバンドの信号にダウンコンバートする。無線部ａ１１は、ダウンコンバートしたベースバンドの信号を第１の受信処理部ａ１４及び第２の受信処理部ａ１５に出力する。
また、無線部ａ１１は、送信部ａ１７から入力された信号を、無線周波数の信号にアップコンバートしてアンテナａ１０を介して基地局装置Ｂ１又はＢ２に送信する。
【００３２】
第１の受信処理部ａ１４がＷ−ＣＤＭＡ方式の受信処理を行っている状態において、第１の受信部ａ１４０は、後述する第１のカウンタ部ａ１４２から入力された同期信号であって、基地局装置Ｂ１からの受信信号のフレームの境界を示す基準タイミングを示す同期信号により、無線部ａ１１から入力された信号のうち基地局装置Ｂ１からの受信信号をフレーム単位に分割する。また、受信部ａ１４０は、第１のカウンタ部ａ１４２から入力された数値信号が示す数（以下、カウンタ値という）によりフレーム番号を選択して、分割したフレーム単位の信号を検出する。すなわち、第１の受信部ａ１４０は、第１のカウンタ部ａ１４２が出力した数値信号を用いて、フレーム単位で基地局装置Ｂ１の送信信号を検出する。なお、フレーム番号は、順序付けられた番号である。本実施形態では、フレーム番号は、「＃０」から「＃Ｎ−１」の周期的な番号である場合について説明をする。
第１の受信部ａ１４０は、検出した信号をＷ−ＣＤＭＡ方式により復調する。第１の受信部ａ１４０は、復調したデータ信号を制御部ａ１６に出力する。
【００３３】
基準信号生成部ａ１３は、クロック周波数の信号（以下、基準信号という）を生成して、第１の位相同期部ａ１４１及び第２の位相同期部ａ１５１に出力する。
【００３４】
第１の位相同期部ａ１４１は、ＰＬＬ（Ｐｈａｓｅ  Ｌｏｃｋｅｄ  Ｌｏｏｐ；位相同期ループ）を用いて、基準信号生成部ａ１３から入力された基準信号を、逓倍/分周を含む処理により合成処理を行う。第１の位相同期部ａ１４１は、合成処理を施したパルス信号を第１のカウンタ部ａ１４２に出力する。
【００３５】
第１のカウンタ部ａ１４２は、第１の位相同期部ａ１４１から入力されたパルス信号を計数する。第１のカウンタ部ａ１４２は、受信信号のフレームの境界を示す計数間隔毎に、フレーム番号の計数を行い、計数したカウンタ値（フレーム番号）を示す数値信号を生成する。なお、フレームの境界のタイミングとその計数間隔を示す情報は、制御部ａ１６から入力される（図示せず）。第１のカウンタ部ａ１４２は、計数したカウンタ値を示す数値信号を、第１の受信部ａ１４０及び第１のカウンタ同期信号出力部ａ１４３に出力する。すなわち、第１のカウンタ部ａ１４２は、フレーム単位のクロックであるパルス信号を検出して計数した数を示す数値信号を出力する。
また、第１のカウンタ部ａ１４２は、制御部ａ１６からの制御により、受信信号のフレームの境界を示す基準タイミングを示す同期信号を生成し、この同期信号を第１の受信部ａ１４０及び第１のカウンタ同期信号出力部ａ１４３に出力する。この信号は、基地局装置Ｂ１からの受信信号のフレーム各々の開始時に立ち上がるパルス信号である。
【００３６】
第１のカウンタ部ａ１４２は、基地局装置Ｂ１からの受信信号に基づいてカウンタ値の初期値を選択して計数する。例えば、第１のカウンタ部ａ１４２は、予め同期チャネル等の信号の配置位置とフレーム番号とを予め対応づけて記憶し、同期チャネル等の信号を検出すると、同期チャネル等の配置位置と対応するフレーム番号をカウンタ値の初期値とする。なお、制御部ａ１６が、上述の第１のカウンタ部ａ１４２と同じ処理を行ってフレーム番号を検出し、第１のカウンタ部ａ１４２が制御部ａ１６から入力されたカウンタ値の初期値としてもよい。
【００３７】
また、第１のカウンタ部ａ１４２は、第２の受信処理部ａ１５の第２のカウンタ同期信号出力部ａ１５３から後述するカウンタ同期信号が入力された場合、このカウンタ同期信号が示すカウンタ値を、自身の初期値として計数する。これにより、第１のカウンタ部ａ１４２は、第２のカウンタ部ａ１５２が出力する数値信号が示すカウンタ値と同じ値を示す数値信号を出力するようになる。すなわち、第１のカウンタ部ａ１４２は、第２のカウンタ同期信号出力部ａ１５３が出力したカウンタ同期信号が示すカウンタ値に基づいて、第２のカウンタ部ａ１５２と同じタイミングで同じ数を示す数値信号を出力する。
【００３８】
第１のカウンタ同期信号出力部ａ１４３は、後述するカウンタ同期開始制御部ａ１６２から同期制御を開始したことを示す情報が入力されると、第１のカウンタ部ａ１４２から入力された数値信号のカウンタ値と同じ値を示すカウンタ同期信号の第２のカウンタ部ａ１５２への出力を開始する。すなわち、第１のカウンタ同期信号出力部ａ１４３は、第１のカウンタ部ａ１４２が出力する数値信号が示すカウンタ値と同じ値を示すカウンタ同期信号を、出力する。
なお、第１のカウンタ同期信号出力部ａ１４３が出力するカウンタ同期信号の詳細については、後述する。
【００３９】
第２の受信処理部ａ１５がＧＳＭ方式の受信処理を行っている状態において、第２の受信部ａ１５０は、第２のカウンタ部ａ１５２から入力された同期信号であって、基地局装置Ｂ２からの受信信号のフレームの境界を示す基準タイミングを示す同期信号により、無線部ａ１１から入力された信号のうち基地局装置Ｂ２からの受信信号をフレーム単位に分割する。また、受信部ａ１５０は、第２のカウンタ部ａ１５２から入力された数値信号が示すカウンタ値によりフレーム番号を選択して、分割したフレーム単位の信号を検出する。すなわち、第２の受信部ａ１５０は、第２のカウンタ部ａ１５２が出力した数値信号を用いて、フレーム単位で基地局装置Ｂ２の送信信号を検出する。
第２の受信部ａ１５０は、検出した信号をＧＳＭ方式により復調する。第２の受信部ａ１５０は、復調したデータ信号を制御部ａ１６に出力する。
【００４０】
第２の受信処理部ａ１５の第２の位相同期部ａ１５１、第２のカウンタ部ａ１５２、及び第２のカウンタ同期信号出力部ａ１５３が持つ機能は、それぞれ、第１の位相同期部ａ１４１、第１のカウンタ部ａ１４２、第１のカウンタ同期信号出力部ａ１４３が持つ機能と同じであるので、説明を省略する。
【００４１】
制御部ａ１６は、第１の受信部ａ１４０及び第２の受信部ａ１５０から入力されたデータ信号に基づいて、画面やスピーカ等の出力部（図示せず）に、情報を表示又は音の出力を行わせる。また、制御部ａ１６は、ボタン等の入力部（図示せず）により入力された情報のうち、基地局装置Ｂ１、Ｂ２に送信する情報を、データ信号として送信部ａ１７に出力する。
【００４２】
起動制御部ａ１６１は、基地局装置Ｂ１からの受信信号より基地局装置Ｂ２へのハンドオーバ指示、つまり、Ｗ−ＣＤＭＡ方式の基地局装置からＧＳＭ方式の基地局装置へのハンドオーバ指示を受信すると、第２の受信処理部ａ１５を起動する。すなわち、起動制御部ａ１６１は、自装置が基地局装置Ｂ１から基地局装置Ｂ２に通信先を切替えるハンドオーバ処理を行うとき第２のカウンタ部ａ１５２を起動させる制御を行う
【００４３】
カウンタ同期開始制御部ａ１６２は、ハンドオーバ指示に含まれる情報により、基地局装置Ｂ１と基地局装置Ｂ２との送信信号について、フレーム及びフレーム周期について同期が取られているか否かを判定する。カウンタ同期開始制御部ａ１６２は、フレーム及びフレーム周期について同期が取られていると判定すると、第１のカウンタ同期信号出力部ａ１４３を起動する。すなわち、カウンタ同期開始制御部ａ１６２は、自装置が基地局装置Ｂ１から基地局装置Ｂ２に通信先を切替えるハンドオーバ処理を行うとき同期開始制御を行う。
【００４４】
なお、本実施形態では、基地局装置Ｂ２へのハンドオーバ指示を受信する構成について説明したが、本発明はこれに限らず、情報端末装置ａ１が基地局装置Ｂ１及びＢ２からの送信信号の受信品質に基づきハンドオーバの実施の有無を決定してもよい。
【００４５】
送信部ａ１７は、制御部ａ１６から入力されたデータ信号を、ディジタル／アナログ変換によりアナログ信号に変換し、無線部ａ１１に出力する。
【００４６】
＜カウンタ同期信号の詳細について＞
以下、図３を用いて、第１のカウンタ同期信号出力部ａ１４３が出力するカウンタ同期信号の詳細について説明をする。
図３は、本実施形態に係るカウンタ同期信号の一例を説明する説明図である。この図において、横軸は時間軸である。また、この図は、Ｎ個のフレームが一周期（フレーム周期Ｎ）である信号を受信している場合の図である。
【００４７】
図３の１段目の図は、基地局装置Ｂ１からの受信信号のフレーム番号を示す。なお、フレーム番号は、第１のカウンタ部ａ１４２のカウンタ値と同じである。この図は、フレーム番号が「＃０」〜「＃Ｎ−１」がくり返されることを示す。
【００４８】
図３の２段目の図は、第１のカウンタ同期信号出力部ａ１４３が出力するカウンタ同期信号を示す。この図は、第１のカウンタ同期信号出力部ａ１４３がカウンタ同期信号を、フレーム番号「＃０」の場合、周期毎に出力することを示す。
【００４９】
図３の３段目の図は、第１のカウンタ同期信号出力部ａ１４３が出力するカウンタ同期信号のカウンタ値を示す。この図は、このカウンタ同期信号がカウンタ値「＃０」を示すことを示している。
第２のカウンタ部ａ１５２は、この図のカウンタ同期信号が入力されると、カウンタ値をリセット、つまり、カウンタ値「＃０」として計数を開始する。
【００５０】
＜同期信号の詳細について＞
以下、図４を用いて、情報端末装置ａ１の動作について説明をする。
図４は、本実施形態に係る情報端末装置ａ１の動作を示すフロー図である。
【００５１】
（ステップＳ１０１）情報端末装置ａ１は、基地局装置Ｂ１と接続し、通信又は通信可能な状態である。この場合、情報端末装置ａ１は、第１のカウンタ部ａ１４２が出力する数値信号及び同期信号を用いて基地局装置Ｂ１からの受信信号を検出する。その後、ステップＳ１０２に進む。
（ステップＳ１０２）制御部ａ１６は、基地局装置Ｂ２へハンドオーバするか否かを判定する。制御部ａ１６が基地局装置Ｂ２へハンドオーバすると判定した場合、ステップ１０３に進む。一方、制御部ａ１６が基地局装置Ｂ２へハンドオーバしないと判定した場合、ステップＳ１０２の判定をくり返す。
【００５２】
（ステップＳ１０３）起動制御部ａ１６１は、第２の受信処理部ａ１５を起動する。その後、ステップＳ１０４に進む。
（ステップＳ１０４）カウンタ同期開始制御部ａ１６２は、第２のカウンタ部ａ１５２を起動し、数値信号及び同期信号の出力を開始させる。その後、ステップＳ１０５に進む。
【００５３】
（ステップＳ１０５）第１のカウンタ同期信号出力部ａ１４３は、カウンタ同期信号を第２のカウンタ部ａ１５２に出力する。第２のカウンタ部ａ１５２は、このカウンタ同期信号が示すカウンタ値を、自身の初期値とする。その後、ステップＳ１０６に進む。
（ステップＳ１０６）第２のカウンタ部ａ１５２は、ステップＳ１０５にて初期化したカウンタ値から計数し、計数したカウンタ値を示す数値信号及び同期信号を第２の受信部ａ１５０に出力する。その後、ステップＳ１０７に進む。
【００５４】
（ステップＳ１０７）第２の受信部ａ１５０は、ステップＳ１０６にて入力された数値信号が示すカウンタ値をフレーム番号として、同期チャネルの信号（ＳＣＨ：Ｓｙｎｃｈｒｏｎｉｓａｔｉｏｎ  Ｃｈａｎｎｅｌ）の検索を行う。その後、ステップＳ１０８に進む。
（ステップ１０８）第２の受信部ａ１５０は、ステップＳ１０７にて検索した同期チャネルの信号に基づき、シンボルタイミングを検出する。
【００５５】
（ステップＳ１０９）第２の受信部ａ１５０は、ステップＳ１０８にて検出したシンボルタイミングで、ＢＣＨ（Ｂｒｏａｄｃａｓｔ  Ｃｈａｎｎｅｌ）受信する。その後、ステップＳ１１０に進む。
（ステップＳ１１０）情報端末装置ａ１は、ステップＳ１０９にて受信したＢＣＨの情報に基づき、基地局装置Ｂ２と接続し、通信又は通信可能な状態である。
【００５６】
このように、本実施形態によれば、同期装置ｄ１は、第１のカウンタ部ａ１４２のカウンタ値を示すカウンタ同期信号を周期毎に出力し、第２のカウンタ部ａ１５２がこのカウンタ同期信号が示すカウンタ値に基づいて第１のカウンタ部ａ１４２と同じタイミングで同じ数を示す数値信号を出力する。これにより、同期装置ｄ１は、第１のカウンタ部ａ１４２のカウンタ値が既に基地局装置Ｂ１と同期に用いられている場合に、この同期を保ったまま、第２のカウンタ部ａ１５２のカウンタ値を第１のカウンタ部ａ１４２のカウンタ値と同じ値にすることができる。
【００５７】
また、本実施形態によれば、情報端末装置ａ１は、第１のカウンタ部ａ１４２のカウンタ値を示すカウンタ同期信号を周期毎に出力し、第２のカウンタ部ａ１５２がこのカウンタ同期信号が示すカウンタ値に基づいて第１のカウンタ部ａ１４２と同じタイミングで同じ数を示す数値信号を出力し、第２のカウンタ部ａ１５２が出力した数値信号を用いて、フレーム及びフレーム周期で基地局装置Ｂ２の送信信号を検出する。これにより、情報端末装置ａ１は、基地局装置Ｂ１の送信信号とフレーム及びフレーム周期で同期を取った基地局装置Ｂ２の送信信号を受信する際、基地局装置Ｂ２の送信信号を用いてフレーム及びフレーム周期を検出しなくても、この送信信号と同期することができ、フレーム及びフレーム周期の検出時間を短縮することができる。
【００５８】
また、同期装置ｄ１は、カウンタ値を示すカウンタ同期信号を出力するので、任意のタイミングで第２のカウンタ部ａ１５２のカウンタ値を第１のカウンタ部ａ１４２のカウンタ値と同じ値にすることができる。この場合、情報端末装置ａ１は、任意のタイミングで受信処理を開始することができる。
【００５９】
＜変形例１＞
以下、本実施形態の変形例１について説明をする。本変形例では、カウンタ同期信号の別の例について説明をする。
図５は、本実施形態の変形例１に係るカウンタ同期信号の別の一例を説明する説明図である。この図において、横軸は時間軸である。また、この図は、一周期分のカウンタ同期信号等を示す。
【００６０】
図５の１段目は、基地局装置Ｂ１からの受信信号のフレーム番号を示す。なお、フレーム番号は、第１のカウンタ部ａ１４２のカウンタ値と同じである。この図は、フレーム番号「＃０」〜「＃１０」がくり返されることを示す。
【００６１】
図５の２段目の図は、第１のカウンタ同期信号出力部ａ１４３が出力するカウンタ同期信号Ａを示す。この図は、第１のカウンタ同期信号出力部ａ１４３がカウンタ同期信号Ａを計数毎、つまり、フレーム毎に出力することを示す。
【００６２】
図５の３段目の図は、第１のカウンタ同期信号出力部ａ１４３が出力するカウンタ同期信号Ａのカウンタ値を示す。この図は、このカウンタ同期信号Ａが、第１のカウンタ部ａ１４２のカウンタ値と同じカウンタ値であることを示している。この場合、第２のカウンタ部ａ１５２は、同期信号Ａのカウンタ値と同じ値を数値信号として出力する。
なお、この同期信号Ａは、第１のカウンタ部ａ１４２が第１の受信部ａ１４０に出力する数値信号と同じパルス信号である。
【００６３】
このように、本変形例では、第１のカウンタ同期信号出力部ａ１４３がカウンタ同期信号Ａをフレーム毎に出力することを示す。これにより、情報端末装置ａ１は、第２のカウンタ部ａ１５２のカウンタ値を、フレーム毎に第２のカウンタ部ａ１４２のカウンタ値と同じ値とすることができるので、フレーム単位で確実にカウンタ値を同期することができる。
【００６４】
＜変形例２＞
図６は、本実施形態の変形例２に係るカウンタ同期信号の一例を説明する説明図である。この図において、横軸は時間軸である。また、この図は、一周期分のカウンタ同期信号等を示す。
【００６５】
図６の１段目は、基地局装置Ｂ１からの受信信号のフレーム番号を示す。なお、フレーム番号は、第１のカウンタ部ａ１４２のカウンタ値と同じである。この図は、フレーム番号「＃０」〜「＃１０」がくり返されることを示す。
【００６６】
図６の２段目の図は、第１のカウンタ同期信号出力部ａ１４３が出力するカウンタ同期信号Ｂを示す。この図は、第１のカウンタ同期信号出力部ａ１４３がカウンタ同期信号を、任意のフレーム番号「＃５」の場合に出力し、周期毎に出力することを示す。
【００６７】
図６の３段目の図は、第１のカウンタ同期信号出力部ａ１４３が出力するカウンタ同期信号のカウンタ値を示す。この図は、このカウンタ同期信号がカウンタ値「＃５」を示すことを示している。
第２のカウンタ部ａ１５２は、この図のカウンタ同期信号が入力されると、カウンタ値「＃５」として計数を開始する。
【００６８】
このように、本変形例によれば、同期装置ｄ１は、任意のタイミングで第２のカウンタ部ａ１５２のカウンタ値を第１のカウンタ部ａ１４２のカウンタ値と同じ値にすることができる。
【００６９】
以下、第１のカウンタ同期信号出力部ａ１４３がカウンタ同期信号Ａからカウンタ同期信号Ｂを生成する方法について説明をする。
図７は、本実施形態に係るカウンタ同期信号Ｂの生成方法について説明する説明図である。この図において、横軸は時間軸である。
【００７０】
図７の１段目の図は、第１のカウンタ部のカウンタ値を示す。
図７の２段目の図は、図６のカウンタ同期信号Ｂを示す。
図７の３段目の図は、図５のカウンタ同期信号Ａを示す。
【００７１】
図７の４段目の図は、マスク信号を示す。このマスク信号は、第１のカウンタ部のカウンタ値が「＃４」である時間帯の中心時間から、カウンタ値が「＃５」である時間帯の中心時間までの信号をそのまま出力し、他の時間の信号は削除することを示す。
図７は、第１のカウンタ同期信号出力部ａ１４３が、図７の３段目の図のカウンタ同期信号Ａに対して、図７の４段目の図のマスク信号を用いて、図７の２段目の図のカウンタ同期信号Ｂを生成することを示す。
【００７２】
上記実施形態において、第１のカウンタ同期信号出力部ａ１４３は、カウンタ同期開始制御部ａ１６２から同期制御を開始したことを示す情報が入力されると、第１のカウンタ部ａ１４２から入力された数値信号のカウンタ値と同じ値を示すカウンタ同期信号を、１回だけ、第２のカウンタ部ａ１５２に出力するようにしてもよい。すなわち、第１のカウンタ同期信号出力部ａ１４３は、カウンタ同期開始制御部ａ１６２が同期開始制御を行うと、カウンタ同期信号を１回、第２のカウンタ部ａ１５２に出力する。
これにより、フレームの周期毎に同期信号を出力する場合と比較し、同期信号を出力する回数を減らすことができ、情報端末装置ａ１の消費電力を減らすことができる。
【００７３】
また、上記実施形態において、第１のカウンタ同期信号出力部ａ１４３又は第２のカウンタ同期信号出力部ａ１５３に、一定周期でカウンタ同期信号を出力させ、第１の受信処理部ａ１４と第２の受信処理部ａ１５とのカウンタ値を同期させてもよい。
これにより、例えば、ハンドオーバした基地局装置Ｂ２の送信信号の受信品質が悪く基地局装置Ｂ１に再度ハンドオーバする場合ように、基地局装置Ｂ１と基地局装置Ｂ２との通信が交互する場合であっても、第１のカウンタ同期信号出力部ａ１４３又は第２のカウンタ同期信号出力部ａ１５３のカウント値が同期されているので、円滑に通信する基地局装置の変更を行うことができる。
【００７４】
なお、ここで一定周期とは、例えば、情報端末装置ａ１が間欠受信を行っている場合はその周期である。また、この周期は、情報端末装置ａ１の移動速度に応じて変更してもよい。また、周期ではなく、予め時間をさだめ、その時間を経過後にカウンタ同期信号を出力させてもよい。
また、上記実施形態において、第２の受信処理部ａ１５は、常に起動させてもよい。
【００７５】
なお、この任意のカウンタ値は、予め定められた制御部ａ１６等に含まれる記憶部に記憶させてもよい。この記憶部は第１の受信処理部ａ１４又は第２の受信処理部ａ１５を実現するＬＳＩの外部でも、内部でもよい。また、第２のカウンタ部ａ１５２がこの記憶部を参照してこのカウンタ値を初期値とする場合、カウンタ同期信号は、同期パルス等によりタイミングだけを通知すればよく、カウンタ値を示す信号は不要である。
【００７６】
＜変形例３＞
以下、本実施形態の変形例３について説明をする。本変形例では、制御部が、カウンタ同期に用いるカウンタ値を記憶するカウンタ値記憶部を備え、第１のカウンタ部と第２のカウンタ部とが、このカウンタ値記憶部が記憶するカウンタ値を用いて、カウンタ同期を行う例について説明をする。
【００７７】
図８は、本実施形態の変形例に係る情報端末装置ａ２の構成を示す概略ブロック図である。本変形例に係る情報端末装置ａ２（図８）と本実施形態に係る情報端末装置ａ１（図２）とを比較すると、第１の受信処理部ａ２４、第２の受信処理部ａ２５、及び制御部ａ２６が異なる。しかし、他の構成要素（アンテナａ１０、無線部ａ１１、基準信号生成部ａ１３、及び送信部ａ１７）が持つ構成及び機能は、情報端末装置ａ１のものと同じである。
【００７８】
また、第１の受信処理部ａ２４において、第１のカウンタ同期信号出力部ａ２４３及び第１のカウンタ部ａ１４２が情報端末装置ａ１と異なるが、第１の受信部ａ１４０、及び第１の位相同期部ａ１４１が持つ機能は、第１の実施形態と同じである。また、第２の受信処理部ａ２５において、第２の同期信号出力部ａ２５３及び第２のカウンタ部ａ２５２が情報端末装置ａ１と異なるが、第２の受信部ａ１５０、及び第２の位相同期部ａ１５１が持つ機能は、第１の実施形態と同じである。また、制御部ａ１６において、カウンタ値記憶部ａ２６３が情報端末装置ａ１と異なるが、起動制御部ａ１６１、カウンタ同期開始制御部ａ１６２が持つ機能は、第１の実施形態と同じである。第１の実施形態と同じ機能についての説明は省略する。
【００７９】
第１のカウンタ同期信号出力部ａ２４３は、第１のカウンタ部ａ１４２から入力された数値信号のカウンタ値と同じ値を制御部ａ２６のカウンタ値記憶部ａ２６３に記憶させる。また、第１のカウンタ同期信号出力部ａ２４３は、この数値信号の入力タイミングを示すパルス信号（タイミング信号）、つまり、第１のカウンタ同期信号出力部ａ２４３から第１のカウンタ部ａ２４２に入力されたパルス信号と同じ信号を、第２のカウンタ部ａ２５２に出力する。ここで、第１のカウンタ同期信号出力部ａ２４３は、第１のカウンタ部ａ１４２から入力された数値信号のうち、予め定めた一部のカウンタ値の数値信号について、この処理を行ってもよい（図３、図６参照）し、すべてのカウンタ値についてこの処理を行ってもよい（図５参照）。
【００８０】
第１のカウンタ部ａ２４２は、第１の位相同期部ａ１４１から入力されたパルス信号のパルスを計数し、計数したカウンタ値（フレーム番号）を示す数値信号を生成する。第１のカウンタ部ａ２４２は、計数したカウンタ値を示す数値信号を、第１の受信部ａ１４０及び第１のカウンタ同期信号出力部ａ２４３に出力する。
第１のカウンタ部ａ２４２は、基地局装置Ｂ１からの受信信号に基づいてカウンタ値の初期値を選択して計数する。具体的に、第１のカウンタ部ａ２４２は、第２の受信処理部ａ１５の第２のカウンタ同期信号出力部ａ２５３からパルス信号が入力された場合、制御部ａ２６のカウンタ値記憶部ａ２６３が記憶するカウンタ値を、自身の初期値として計数する。これにより、第１のカウンタ部ａ２５３は、第２のカウンタ部ａ２５２が出力する数値信号が示すカウンタ値と同じ値を示す数値信号を出力するようになる。
【００８１】
なお、第２のカウンタ同期信号出力部ａ２５３及び第２のカウンタ部ａ２５２が持つ機能は、それぞれ、第１のカウンタ同期信号出力部ａ２４３及び第１のカウンタ部ａ２４２と同じであるので、説明は省略する。
【００８２】
なお、上述した実施形態における情報端末装置ａ１の一部、例えば、第１の受信部ａ１４０、第２の受信部ａ１５０、第１の位相同期部ａ１４１、第１のカウンタ部ａ１４２、第１のカウンタ同期信号出力部ａ１４３、第２の位相同期部ａ１５１、第２のカウンタ部ａ１５２、第２のカウンタ同期信号出力部ａ１５３、起動制御部ａ１６１、カウンタ同期開始制御部ａ１６２、制御部ａ１６、及び送信部ａ１７をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、情報端末装置ａ１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【産業上の利用可能性】
【００８４】
本発明は、同期装置、受信装置、それと類似の技術において用いて好適であり、一方のクロックカウンタのカウンタ値が既に同期に用いられている場合に、この同期を保ったまま、他方のクロックカウンタのカウンタ値と同期を取ることができる。
【符号の説明】
【００８５】
Ａ１、ａ１・・・情報端末装置
Ｂ１、Ｂ２・・・基地局装置
ａ１０・・・アンテナ
ａ１３・・・基準信号生成部
ａ１４・・・第１の受信処理部
ａ１５・・・第２の受信処理部
ａ１６・・・制御部
ａ１７・・・送信部
ｄ１・・・同期装置
ａ１４０・・・第１の受信部
ａ１４１・・・第１の位相同期部
ａ１４２、ａ２４２・・・第１のカウンタ部
ａ１４３、ａ２４３・・・第１のカウンタ同期信号出力部
ａ１５０・・・第２の受信部
ａ１５１・・・第２の位相同期部
ａ１５２、ａ２５２・・・第２のカウンタ部
ａ１５３、ａ２５３・・・第２のカウンタ同期信号出力部
ａ１６１・・・起動制御部
ａ１６２・・・カウンタ同期開始制御部
ａ１６３・・・カウンタ値記憶部
【図１】
2010073441.tif 000003
【図２】
2010073441.tif 000004
【図３】
2010073441.tif 000005
【図４】
2010073441.tif 000006
【図５】
2010073441.tif 000007
【図６】
2010073441.tif 000008
【図７】
2010073441.tif 000009
【図８】
2010073441.tif 000010
【国際調査報告】
2010073441.tif 000011
2010073441.tif 000012